(57)【要約】【課題】操作性が向上する操作装置を提供する。【解決手段】この操作装置は、タッチパッド２へのユーザの指の接触に伴う静電容量の変化を検出する静電容量センサと、複数のアイコンＡ〜Ｄが配置された画面を表示するディスプレイ１とを備える。そして、静電容量センサで検出される静電容量の変化量に基づいてタッチパッド２上のタッチ位置を検出し、検出したタッチ位置から画面上の入力位置を取得する。また、画面上のアイコンＡ〜Ｄの表示範囲と入力位置との比較に基づき、いずれのアイコンが選択されているかを判断し、選択されたアイコンに応じた処理を実行する。ここでは、４つのアイコンＡ〜Ｄが配置された画面をディスプレイ１に表示しているとき、その画面上で入力位置の取り得る範囲を、全アイコンＡ〜Ｄの表示範囲を含んで且つ、画面の全範囲よりも狭い制限範囲Ｒｃに制限する。【選択図】図５
2014067253.tif 000002
【特許請求の範囲】
【請求項１】
操作部の操作位置を検出する検出部と、
複数の項目が配置された画面を表示する表示部と、
前記検出部で検出される前記操作位置に基づいて前記画面上の入力位置を取得し、前記入力位置と前記画面上の各項目の表示範囲との比較に基づき前記複数の項目のいずれが選択されているかを判断し、選択された項目に応じた処理を実行する制御部と、を備え、
前記操作部の操作を通じて前記画面上の項目を選択することにより、選択項目に応じた操作を行うことが可能な操作装置であって、
前記制御部は、前記表示部に所定の画面を表示しているとき、前記所定の画面上で前記入力位置の取り得る範囲を、前記所定の画面上で選択可能な全項目の表示範囲を含んで且つ、前記所定の画面の全範囲よりも狭い制限範囲に制限する
ことを特徴とする操作装置。
【請求項２】
請求項１に記載の操作装置において、
前記制御部は、前記画面上の入力位置の座標系として直交２軸座標系を用いるものであり、前記表示部に所定の画面を表示しているとき、前記所定の画面上で選択可能な全項目の表示範囲における前記直交２軸座標系の一軸方向の最小値及び最大値、並びに他軸方向の最小値及び最大値に基づいて前記制限範囲を設定する
ことを特徴とする操作装置。
【請求項３】
請求項１又は２に記載の操作装置において、
前記制御部は、前記検出部で検出される操作位置の絶対位置に基づいて前記所定の画面上の入力位置を判断するものであり、前記操作位置の絶対位置と前記制限範囲内の入力位置との対応関係を示す演算式又はマップを用いて、前記検出部で検出される操作位置から前記画面上の入力位置を求める
ことを特徴とする操作装置。
【請求項４】
請求項１〜３のいずれか一項に記載の操作装置において、
前記表示部には、前記画面上の入力位置に対応してカーソルの画像が表示され、
前記制御部は、前記画面上で前記カーソルの画像が移動可能な範囲を前記制限範囲内に制限する
ことを特徴とする操作装置。
【発明の詳細な説明】
【技術分野】
【０００１】
本発明は、表示部に表示された項目を操作部の操作を通じて選択することで各種操作を行うことが可能な操作装置に関する。
【背景技術】
【０００２】
車両には、ユーザがエアコンディショナー装置（エアコン装置）やカーナビゲーション装置（カーナビ装置）等を遠隔操作可能な操作装置が搭載されたものがある。従来、この種の操作装置としては特許文献１に記載の装置がある。
【０００３】
特許文献１に記載の操作装置は、車両のインストルメントパネル等の視認し易い場所に配置されたディスプレイ、及び車両のセンターコンソール等の操作し易い場所に配置されたタッチパッドを備えている。ディスプレイには、エアコン装置やカーナビ装置の操作に必要な各種項目が表示される。ユーザはタッチパッドを指でなぞるように操作してディスプレイに表示されたカーソルを移動させることで各種項目を選択できる。また、いずれかの項目が選択された状態でタッチパッドを指で押圧すると、その項目を決定できる。操作装置は、いずれかの項目に対して決定操作が行われたとき、その項目に対応した動作要求をエアコン装置やカーナビ装置に対して行う。エアコン装置及びカーナビ装置は、操作装置から動作要求があると、その内容に基づいて駆動する。このような構成からなる操作装置では、ユーザがタッチパッドの操作を通じて画面上の各種項目を選択及び決定するだけでエアコン装置やカーナビ装置を操作できるため、利便性が向上する。
【先行技術文献】
【特許文献】
【０００４】
【特許文献１】特開２００６−２１５９６３号公報
【発明の概要】
【発明が解決しようとする課題】
【０００５】
ところで、ディスプレイには、エアコン装置の操作画面やカーナビ装置の操作画面等の各種操作画面が表示されるが、各操作画面によって項目の数や位置、大きさが異なる。このため操作画面の中には、例えば項目が画面の一部のみに表示されるものもある。このような操作画面がディスプレイに表示されている場合、ユーザがタッチパッドを操作すると、画面上で項目が表示されていない部分にカーソルが移動してしまい、目的とする項目を選択し難くなることがある。これが操作装置の操作性を悪化させる一つの要因となっている。
【０００６】
なお、このような課題は、タッチパッドを操作部とする操作装置に限らず、所定の操作部の操作を通じて画面上の項目を選択可能な各種操作装置に共通する課題である。
本発明は、こうした実情に鑑みてなされたものであり、その目的は、操作性が向上する操作装置を提供することにある。
【課題を解決するための手段】
【０００７】
上記課題を解決するために、請求項１に記載の発明は、操作部の操作位置を検出する検出部と、複数の項目が配置された画面を表示する表示部と、前記検出部で検出される前記操作位置に基づいて前記画面上の入力位置を取得し、前記入力位置と前記画面上の各項目の表示範囲との比較に基づき前記複数の項目のいずれが選択されているかを判断し、選択された項目に応じた処理を実行する制御部と、を備え、前記操作部の操作を通じて前記画面上の項目を選択することにより、選択項目に応じた操作を行うことが可能な操作装置であって、前記制御部は、前記表示部に所定の画面を表示しているとき、前記所定の画面上で前記入力位置の取り得る範囲を、前記所定の画面上で選択可能な全項目の表示範囲を含んで且つ、前記所定の画面の全範囲よりも狭い制限範囲に制限することを要旨とする。
【０００８】
同構成によれば、所定の画面上で一部のみに項目が表示されている場合、その画面上で入力位置の取り得る範囲が、画面上に表示されている全項目の表示範囲を含んで且つ、画面の全範囲よりも狭い範囲に制限される。これによりユーザが操作部を全範囲に亘って操作した場合でも、画面上で操作可能な範囲が項目の表示範囲内に制限されるため、各項目を選択し易くなる。よって操作性が向上する。
【０００９】
請求項２に記載の発明は、請求項１に記載の操作装置において、前記制御部は、前記画面上の入力位置の座標系として直交２軸座標系を用いるものであり、前記表示部に所定の画面を表示しているとき、前記所定の画面上で選択可能な全項目の表示範囲における前記直交２軸座標系の一軸方向の最小値及び最大値、並びに他軸方向の最小値及び最大値に基づいて前記制限範囲を設定することを要旨とする。
【００１０】
画面上の入力位置の座標系として直交２軸座標系を用いる操作装置では、上記のような構成を採用すれば、制限範囲を容易に設定できる。
操作装置には、検出部で検出される操作位置の絶対位置に基づいて画面上の入力位置を判断するものがある。このような操作装置では、請求項３に記載の発明のように、前記操作位置の絶対位置と前記制限範囲内の入力位置との対応関係を示す演算式又はマップを用いて、前記検出部で検出される操作位置から前記画面上の入力位置を求める、といった構成を採用することが有効である。これによりユーザが操作部を全範囲に亘って操作したときに画面上で入力位置の取り得る範囲を制限範囲内に容易に制限できる。
【００１１】
請求項４に記載の発明は、請求項１〜３のいずれか一項に記載の操作装置において、前記表示部には、前記画面上の入力位置に対応してカーソルの画像が表示され、前記制御部は、前記画面上で前記カーソルの画像が移動可能な範囲を前記制限範囲内に制限することを要旨とする。
【００１２】
同構成によれば、ユーザが操作部を全範囲に亘って操作してもカーソルを画面上の制限範囲内でしか移動させることができないため、ユーザは画面上の入力位置の制限を視覚的に把握できる。よって操作性が向上する。
【発明の効果】
【００１３】
本発明の操作装置によれば、操作性が向上する。
【図面の簡単な説明】
【００１４】
【図１】本発明の操作装置の第１の実施形態について同操作装置が搭載された車両内部の斜視構造を示す斜視図。
【図２】（ａ）は、第１の実施形態の操作装置についてメニュー画面が表示されたディスプレイの正面構造を示す正面図。（ｂ）は、エアコン操作画面が表示されたディスプレイの正面構造を示す正面図。（ｃ）は、カーナビ操作画面が表示されたディスプレイの正面構造を示す正面図。
【図３】第１の実施形態の操作装置についてその構成を示すブロック図。
【図４】（ａ）は、第１の実施形態の操作装置についてそのタッチパッドの平面構造を示す平面図。（ｂ）は、カーナビ操作画面が表示されたディスプレイの正面構造を示す正面図。
【図５】（ａ）は、第１の実施形態の操作装置についてそのタッチパッドの平面構造を示す平面図。（ｂ）は、操作画面が表示されたディスプレイの正面構造を示す正面図。
【図６】第１の実施形態の操作装置による画面上の入力位置を制限する処理の手順を示すフローチャート。
【図７】（ａ）は、第１の実施形態の操作装置についてそのタッチパッドの平面構造を示す平面図。（ｂ）は、メニュー画面が表示されたディスプレイの正面構造を示す正面図。
【図８】（ａ）は、第１の実施形態の操作装置についてそのタッチパッドの平面構造を示す平面図。（ｂ）は、エアコン操作画面が表示されたディスプレイの正面構造を示す正面図。
【図９】（ａ）は、本発明の操作装置の第２の実施形態についてそのタッチパッドの平面構造を示す平面図。（ｂ）は、カーナビ操作画面が表示されたディスプレイの正面構造を示す正面図。
【図１０】第２の実施形態の操作装置による画面上の入力位置を制限する処理の手順を示すフローチャート。
【発明を実施するための形態】
【００１５】
＜第１の実施形態＞
以下、本発明の操作装置を具体化した第１の実施形態について説明する。本実施形態の操作装置は、車両のエアコン装置やカーナビ装置、オーディオ装置等の各種車載機器を遠隔操作するための装置である。はじめに図１〜図４を参照して本実施形態の操作装置の概要を説明する。
【００１６】
図１に示すように、この操作装置は、センタークラスター３に設けられた矩形状のディスプレイ１、及びセンターコンソール４に設けられた矩形状のタッチパッド２を備えている。本実施形態ではディスプレイ１が表示部となり、タッチパッド２が操作部となっている。
【００１７】
ディスプレイ１には、エアコン装置等の操作対象機器の操作に必要な各種操作画面が表示される。具体的には、図２（ａ）〜（ｃ）に示すようなメニュー画面やエアコン操作画面、カーナビ操作画面等が表示される。
【００１８】
図２（ａ）に示すように、メニュー画面には、操作対象機器の名称が記載された３つの
アイコンＡ１０〜Ａ１２、及び「設定」の文字が記載されたアイコンＡ１３が横方向に並べて表示される。アイコンＡ１０〜Ａ１２は、操作対象機器を指定する際に選択される。アイコンＡ１３は、操作装置の各種設定を変更する際に選択される。
【００１９】
図２（ｂ）に示すように、エアコン操作画面には、「風量」等の文字が記載されたアイコンＡ２０〜Ａ２４が画面中央よりも左側に寄った位置に縦方向に並べて表示される。アイコンＡ２０〜Ａ２４は、エアコン装置の操作対象を指定する際に選択される。また、この操作画面では、例えば「風量」のアイコンＡ２０が選択された場合、その操作に対応したアイコンＡ３０〜Ａ３２が表示される。「−」のアイコンＡ３０及び「＋」のアイコンＡ３１は風量を増減する際に選択され、「完了」のアイコンＡ３２は、風量の調整が完了した際に選択される。
【００２０】
図２（ｃ）に示すように、カーナビ操作画面では、例えば行き先検索を行う場合、五十音順に並べられた日本語のひらがな文字からなるアイコンＡ３０や検索テキストフィールド１１が表示される。
【００２１】
なお、図２（ａ）〜（ｃ）に例示した各操作画面を含む全操作画面の右上端には、矢印のアイコンＡ４０が表示される。アイコンＡ４０は、ディスプレイ１の表示画面を現在の操作画面の一つ前の操作画面に戻す際に選択される。また全操作画面内には、画面上の入力位置を示す四角状のカーソルＣの画像が表示される。カーソルＣは、ユーザによるタッチパッド２の操作に基づいて画面内を移動する。本実施形態の操作装置では、カーソルＣを所望のアイコンまで移動させることにより、そのアイコンを選択できる。このように本実施形態では、各操作画面に表示されるアイコンが、選択可能な項目となっている。
【００２２】
図１に示すように、タッチパッド２は、その操作面２０がセンターコンソール４から外部に露出するように設けられている。図３に示すように、タッチパッド２には、操作面２０へのユーザの指の接触に伴う静電容量の変化を検出する複数の静電容量センサ２１、及び操作面２０の押圧操作を検出する押圧センサ２２が設けられている。このような構成により、ユーザの指が操作面２０に接触すると、複数の静電容量センサ２１のうち、指の接触位置に対応する静電容量センサ２１の検出値が変化する。またユーザが指で操作面２０を押圧すると、その操作が押圧センサ２２により検出される。各静電容量センサ２１及び押圧センサ２２のそれぞれの出力信号は制御装置（制御部）５に取り込まれる。
【００２３】
制御装置５はマイクロコンピュータを中心に構成され、メモリ５０などを備えている。制御装置５は、静電容量センサ２１及び押圧センサ２２のそれぞれの出力に基づいてタッチパッド２に対するユーザの操作を検出する。具体的には、各静電容量センサ２１で検出される静電容量の変化量に基づいてタッチパッド２における指の接触位置（タッチ位置）を検出する。図４（ａ）に示すように、タッチ位置は、操作面２０の長辺方向に平行なＸｔ軸、及び短辺方向に平行なＹｔ軸からなる直交２軸座標系のそれぞれの座標位置で検出される。制御装置５は、検出したタッチ位置の絶対位置に基づいてディスプレイ１の画面上の入力位置を判断する。図４（ｂ）に示すように、入力位置は、ディスプレイ１の長辺方向に平行なＸｄ軸、及び短辺方向に平行なＹｄ軸からなる直交２軸座標系のそれぞれの座標位置で指定される。例えば制御装置５は、タッチ位置として図４（ａ）に示すようなタッチパッド２の左下端の位置Ｐｔ１を検出した場合、図４（ｂ）に示すようにディスプレイ１の画面上の入力位置をタッチ位置Ｐｔ１に対応する画面左下端の位置Ｐｄ１であると判断する。また図４（ａ）に矢印で示すようにタッチ位置がタッチパッド２の左下端の位置Ｐｔ１から中央の位置Ｐｔ２に変化した場合、図４（ｂ）に矢印で示すようにディスプレイ１の画面上の入力位置が左下端の位置Ｐｄ１から、タッチ位置Ｐｔ２に対応する画面中央の位置Ｐｄ２に変化したと判断する。
【００２４】
また制御装置５は、画面上の入力位置と各アイコンの表示範囲とを比較することで、複数のアイコンのいずれが選択されているかを判断する。具体的には、いずれのアイコンの表示範囲内にも入力位置が属していない場合、選択されているアイコンは無いと判断する。この場合、制御装置５は入力位置にカーソルＣを表示する。すなわち制御装置５は、画面上の入力位置が図４（ｂ）に示す位置Ｐｄ１である場合、その位置にカーソルＣを表示する。これによりユーザは画面上のカーソルＣの位置を確認することで入力位置を把握できる。一方、制御装置５は、いずれかのアイコンの表示範囲内に入力位置が属している場合、そのアイコンが選択されていると判断し、選択されたアイコンを囲むように太線の外枠を表示する。アイコンの表示範囲は、図２（ａ）〜（ｃ）に示すように各アイコンを囲むように外枠が表示されている場合、外枠で囲まれた範囲と略同等の範囲で設定されている。また図２（ｃ）に示す「検索」の文字のように外枠が表示されていないアイコンの表示範囲は、その文字を囲む不可視の外枠で囲まれる範囲内で設定されている。このような構成により、制御装置５は、例えば画面上の入力位置が図４（ｂ）に示す位置Ｐｄ２である場合、入力位置が「ぬ」のアイコンの表示範囲内に属しているため、「ぬ」のアイコンを囲むように外枠１０を表示する。これによりユーザは「ぬ」のアイコンが選択状態であることを視認できる。
【００２５】
そして制御装置５は、いずれかのアイコンが選択されている状態で押圧センサ２２を通じてタッチパッド２の押圧操作を検出すると、選択されたアイコンに応じた処理を実行する。例えば図４（ｂ）に示すように「ぬ」のアイコンが選択されている状態でタッチパッド２の押圧操作を検出すると、ディスプレイ１の検索テキストフィールド１１に「ぬ」の文字を表示する。また、例えば図２（ａ）に示すようにディスプレイ１に「メニュー画面」が表示されているとき、「エアコン」のアイコンＡ１０が選択されている状態でタッチパッド２の押圧操作を検出すると、ディスプレイ１の表示画面を図２（ｂ）に示すエアコン操作画面に切り替える。そして制御装置５は、図２（ｂ）に示すエアコン操作画面で、「＋」のアイコンＡ３１が選択されている状態でタッチパッド２の押圧操作を検出すると、エアコン装置の風量を増加させる操作が行われたと判断する。このようにして制御装置５はエアコン装置等に対するユーザの操作を検出する。
【００２６】
制御装置５は、エアコン装置等に対するユーザの操作を検出すると、図３に示すように、その操作に対応した要求内容をＣＡＮ（Ｃｏｎｔｒｏｌｌｅｒ  Ａｒｅａ  Ｎｅｔｗｏｒｋ）などの車内ネットワーク６を通じてエアコン装置７やカーナビ装置８、オーディオ装置９に通知する。各装置７〜９は制御装置５からの要求を受信すると、それに応じた動作を行う。
【００２７】
一方、制御装置５は、ディスプレイ１に所定の操作画面を表示しているとき、画面上の入力位置の取り得る範囲を、画面上で選択可能な全アイコンの表示範囲を含んで且つ、所定の画面の全範囲よりも狭い制限範囲に制限する。以下、その詳細を図５を参照して説明する。なおここでは、図５（ａ）に示すように、タッチパッド２におけるタッチ位置のＸｔ軸上の座標位置が「０」から「Ｘｔｍａｘ」の範囲で設定され、Ｙｔ軸上の座標位置が「０」から「Ｙｔｍａｘ」の範囲で設定されているとしている。すなわちタッチパッド２の全操作範囲が図中の二点鎖線で囲まれる範囲Ｒｔで設定されているとしている。
【００２８】
図５（ｂ）に示すように、ディスプレイ１の表示画面が、例えば選択可能な４つのアイコンＡ〜Ｄが中央付近に四角形状に並べて配置された画面からなるとする。この場合、アイコンＡ〜Ｄの表示範囲のＸｄ軸方向の最小値は「ＸｄＬ」となり、最大値は「ＸｄＨ」となる。またアイコンＡ〜Ｄの表示範囲のＹｄ軸方向の最小値は「ＹｄＬ」となり、最大値は「ＹｄＨ」となる。このとき制御装置５は、座標（ＸｄＬ，ＹｄＬ）で指定される位置Ｐ１、座標（ＸｄＨ，ＹｄＬ）で指定される位置Ｐ２、座標（ＸｄＨ，ＹｄＨ）で指定される位置Ｐ３、及び座標（ＸｄＬ，ＹｄＨ）で指定される位置Ｐ４で囲まれる二点鎖線で示す範囲を制限範囲Ｒｃとして設定する。そしてタッチパッド２の全操作範囲Ｒｔに対して入力位置の取り得る範囲を、換言すればカーソルＣが取り得る範囲を制限範囲Ｒｃ内に制限する。詳しくは、制御装置５はタッチ位置（Ｘｔ，Ｙｔ）を検出したとき、以下の式（１），（２）に基づいて画面上の入力位置（Ｘｄ，Ｙｄ）を演算することにより、入力位置（Ｘｄ，Ｙｄ）の取り得る範囲を制限範囲Ｒｃ内に制限する。
【００２９】
Ｘｄ＝（ＸｄＨ−ＸｄＬ）・Ｘｔ／Ｘｔｍａｘ＋ＸｄＬ・・・（１）
Ｙｄ＝（ＹｄＨ−ＹｄＬ）・Ｙｔ／Ｙｔｍａｘ＋ＹｄＬ・・・（２）
図６は、制御装置５が式（１），（２）に基づいてタッチ位置（Ｘｔ，Ｙｔ）から画面上の入力位置（Ｘｄ，Ｙｄ）を演算する処理の手順をフローチャートで示したものである。次に図６を参照して同処理の手順を詳述する。なお図６に示す処理は、制御装置５により所定の演算周期をもって繰り返し実行される。また、アイコンの表示範囲のＸｄ軸方向の最小値ＸｄＬ及び最大値ＸｄＨ、並びにＹｄ軸方向の最小値ＹｄＬ及び最大値ＹｄＨのそれぞれの初期値は、操作装置の起動時にディスプレイ１に表示される初期の操作画面に対応した値に設定される。
【００３０】
図６に示すように、制御装置５は、まず、静電容量センサ２１で検出される静電容量の変化量に基づいてタッチ位置（Ｘｔ，Ｙｔ）を検出したか否かを判断する（ステップＳ１）。そしてタッチ位置（Ｘｔ，Ｙｔ）を検出した場合には（ステップＳ１：ＹＥＳ）、ディスプレイ１に現在表示中の操作画面における全アイコンの表示範囲のＸｄ軸方向の最小値ＸｄＬ及び最大値ＸｄＨ、並びにＹｄ軸方向の最小値ＹｄＬ及び最大値ＹｄＨの情報をメモリ５０から読み込む（ステップＳ２）。ここでディスプレイ１には各種操作画面が表示されるが、操作画面毎にアイコンの配列は決まっている。そこで本実施形態では、各操作画面のアイコンの表示範囲のＸｄ軸方向の最小値ＸｄＬ及び最大値ＸｄＨ、並びにＹｄ軸方向の最小値ＹｄＬ及び最大値ＹｄＨの情報と、操作画面とを関連付けて制御装置５のメモリ５０に予め記憶するようにしている。そして制御装置５は、メモリ５０から読み込んだ各値、及びステップＳ１で検出されたタッチ位置（Ｘｔ，Ｙｔ）から上記式（１），（２）に基づいて画面上の入力位置（Ｘｄ，Ｙｄ）を演算し（ステップＳ３）、一連の処理を終了する。
【００３１】
一方、制御装置５は、ステップＳ１でタッチ位置（Ｘｔ，Ｙｔ）を検出できなかった場合には（ステップＳ１：ＮＯ）、一連の処理を終了する。
次に図７及び図８を参照して、本実施形態の操作装置の動作例（作用）を説明する。
【００３２】
図７（ｂ）に示すようなメニュー画面がディスプレイ１に表示されている場合、選択可能なアイコンＡ１０〜Ａ１３，Ａ４０の表示範囲のＸｄ軸方向の最小値ＸｄＬは「Ｘｄ１０」となり、最大値ＸｄＨは「Ｘｄ１１」となる。またアイコンＡ１０〜Ａ１３，Ａ４０の表示範囲のＹｄ軸方向の最小値ＹｄＬは「Ｙｄ１０」となり、最大値ＸｄＨは「Ｙｄ１１」となる。そして制御装置５は、これらの値及びタッチ位置（Ｘｔ，Ｙｔ）から上記式（１），（２）に基づいて画面上の入力位置（Ｘｄ，Ｙｄ）を演算する。これにより、図７（ａ）に二点鎖線で示すタッチパッド２の全操作範囲Ｒｔに対してメニュー画面上で入力位置の取り得る範囲が、図７（ｂ）に二点鎖線で示す制限範囲Ｒｃ１に制限される。すなわちメニュー画面上でカーソルＣを操作可能な範囲がアイコンＡ１０〜Ａ１３，Ａ４０の表示範囲に制限される。これによりユーザが各アイコンＡ１０〜Ａ１３，Ａ４０を選択するとき、タッチパッド２上のタッチ操作範囲が、図７（ａ）に二点鎖線で示す各操作範囲Ｔ１０〜Ｔ１３，Ｔ４０となり、タッチパッド２上の操作範囲が実質的に拡大する。このためユーザはアイコンＡ１０〜Ａ１３，Ａ４０を選択し易くなる。またユーザがタッチパッド２を指で下方になぞるように操作した場合でも、カーソルＣがアイコンＡ１０〜Ａ１３の下方の空白領域まで移動することがないため、各アイコンの選択状態を維持できる。
【００３３】
また、図８（ｂ）に示すようなエアコン操作画面がディスプレイ１に表示されている場合、選択可能なアイコンＡ３０〜Ａ３２，Ａ４０の表示範囲のＸｄ軸方向の最小値ＸｄＬは「Ｘｄ２０」となり、最大値ＸｄＨは「Ｘｄ２１」となる。またアイコンＡ３０〜Ａ３２，Ａ４０の表示範囲のＹｄ軸方向の最小値ＹｄＬは「Ｙｄ２０」となり、最大値ＸｄＨは「Ｙｄ２１」となる。そして制御装置５は、これらの値及びタッチ位置（Ｘｔ，Ｙｔ）から上記式（１），（２）に基づいて画面上の入力位置（Ｘｄ，Ｙｄ）を演算する。これにより、図８（ａ）に二点鎖線で示すタッチパッド２の全操作範囲Ｒｔに対して、エアコン操作画面上で入力位置の取り得る範囲が、図８（ｂ）に二点鎖線で示す制限範囲Ｒｃ２に制限される。すなわちエアコン操作画面上でカーソルＣを操作可能な範囲がアイコンＡ３０〜Ａ３２，Ａ４０の表示範囲に制限される。これによりユーザが各アイコンＡ３０〜Ａ３２，Ａ４０を選択するとき、タッチパッド２上のタッチ操作範囲が、図８（ａ）に二点鎖線で示す各範囲Ｔ３０〜Ｔ３２，Ｔ４０となり、操作範囲が大幅に拡大する。このためユーザがタッチパッド２を大雑把にタッチ操作した場合でもアイコンＡ１０〜Ａ１３，Ａ４０を容易に選択できるため、操作性が向上する。またユーザがタッチパッド２を指で下方や左方向になぞるように操作した場合でも、カーソルＣがアイコンＡ３２の下方の空白領域やアイコンＡ３０の左方向の空白領域まで移動することがないため、各アイコンの選択状態を維持できる。
【００３４】
以上説明したように、本実施形態の操作装置によれば以下の効果が得られる。
（１）制御装置５では、タッチ位置（Ｘｔ，Ｙｔ）の絶対位置と制限範囲Ｒｃ内の入力位置（Ｘｄ，Ｙｄ）との対応関係を示す式（１），（２）を用いてタッチ位置（Ｘｔ，Ｙｔ）から画面上の入力位置（Ｘｄ，Ｙｄ）を求めることとした。これによりディスプレイ１に所定の画面が表示されているとき、タッチパッド２の全操作範囲Ｒｔに対して入力位置の取り得る範囲が、所定の画面上で選択可能な全アイコンの表示範囲を含んで且つ、所定の画面の全範囲よりも狭い制限範囲Ｒｃに制限される。このためユーザがタッチパッド２を全範囲Ｒｔに亘って操作した場合でも、画面上で操作可能な範囲がアイコンの表示範囲内に制限されるため、ユーザが各アイコンを選択し易くなる。よって操作性が向上する。
【００３５】
（２）制御装置５では、画面上の入力位置の座標系としてＸｄ軸及びＹｄ軸からなる直交２軸座標系を用いることとした。そして所定の画面上で選択可能な全アイコンの表示範囲におけるＸｄ軸方向の最小値ＸｄＬ及び最大値ＸｄＨ、並びにＹｄ軸方向の最小値ＹｄＬ及び最大値ＹｄＨに基づいて制限範囲Ｒｃを設定することとした。これにより制限範囲Ｒｃを容易に設定できる。
【００３６】
（３）制御装置５では、画面上でカーソルＣの画像が移動可能な範囲を制限範囲Ｒｃ内に制限することとした。これによりユーザがタッチパッド２を全範囲Ｒｔに亘って操作してもカーソルが画面上の制限範囲Ｒｃ内しか移動しないため、ユーザは入力位置の制限を視覚的に把握できる。よって操作性が向上する。
【００３７】
＜第２の実施形態＞
続いて本発明の第２の実施形態について説明する。以下、第１の実施形態との相違点を中心に説明する。
【００３８】
第１の実施形態の制御装置５は、タッチパッド２のタッチ位置の絶対位置に基づいて画面上の入力位置を判断したが、本実施形態の制御装置５は、タッチパッド２のタッチ位置の相対位置に基づいて画面上の入力位置を判断する。具体的には、図９（ａ）に示すようにユーザがタッチパッド２の中央よりも左寄りの位置Ｐｔ３に指を接触させた後、タッチパッド２を指で矢印の方向になぞりながら、右上端の位置Ｐｔ４まで指を移動させたとする。このとき制御装置５は、ユーザの指がタッチパッド２の位置Ｐｔ３に接触した際、タッチ位置を検出すると、その位置を基準位置として、その位置から位置Ｐｔ４までの相対的な変位Ｄを演算する。そして、図９（ｂ）に示すように、ユーザが指をタッチパッド２に触れた時点での画面上の入力位置が「Ｐｄ３」である場合、その位置を基準位置として、入力位置が基準位置Ｐｄ３から変位Ｄだけ移動した位置Ｐｄ４まで変化したと判断する。
【００３９】
一方、本実施形態の制御装置５は、例えば図５（ｂ）に示すような４つのアイコンＡ〜Ｄが配列された画面をディスプレイ１に表示している場合、画面上の入力位置（Ｘｄ，Ｙｄ）を「ＸｄＬ≦Ｘｄ≦ＸｄＨ」及び「ＹｄＬ≦Ｙｄ≦ＹｄＨ」で設定される制限範囲Ｒｃに制限する。また、ディスプレイ１に表示された操作画面を切り替えたとき、切り替え後の画面上のアイコンの表示範囲に基づいて画面上の入力位置（Ｘｄ，Ｙｄ）の取り得る範囲を制限する。以下、その詳細を図１０を参照して説明する。なお、図１０に示す処理は、ディスプレイ１に表示されている操作画面を切り替えたときに実行される。
【００４０】
図１０に示すように、制御装置５は、まず、切り替え後の操作画面における全アイコンの表示範囲のＸｄ軸方向の最小値ＸｄＬ及び最大値ＸｄＨ、並びにＹｄ軸方向の最小値ＹｄＬ及び最大値ＹｄＨの情報をメモリ５０から読み込む（ステップＳ１０）。そして、画面上の入力位置（Ｘｄ，Ｙｄ）を「ＸｄＬ≦Ｘｄ≦ＸｄＨ」及び「ＹｄＬ≦Ｙｄ≦ＹｄＨ」で設定される制限範囲に制限する（ステップＳ１１）。また制御装置５は、入力位置（Ｘｄ，Ｙｄ）を（（ＸｄＬ＋ＸｄＨ）／２，（ＹｄＬ＋ＹｄＨ）／２）に変更するとともに（ステップＳ１２）、変更後の入力位置（Ｘｄ，Ｙｄ）にカーソルＣを表示する（ステップＳ１３）。
【００４１】
このような構成によれば、タッチパッド２のタッチ位置の相対位置に基づいて画面上の入力位置を取得する場合でも、タッチパッド２の全操作範囲に対して画面上の入力位置（Ｘｄ，Ｙｄ）の取り得る範囲が「ＸｄＬ≦Ｘｄ≦ＸｄＨ」及び「ＹｄＬ≦Ｙｄ≦ＹｄＨ」で設定される制限範囲Ｒｃに制限される。このため、ユーザは画面上に表示されるアイコンを選択し易くなる。
【００４２】
以上説明したように、本実施形態の操作装置によれば、第１の実施形態による（２），（３）と同等の効果、あるいはそれらに準じた効果が得られるとともに、（１）の効果に代わる効果として以下の効果が得られる。
【００４３】
（４）制御装置５では、ディスプレイ１に所定の画面を表示しているとき、タッチパッド２の全操作範囲に対して入力位置の取り得る範囲を、所定の画面上で選択可能な全アイコンを含んで且つ、所定の画面の全範囲よりも狭い制限範囲Ｒｃに制限することとした。これによりユーザがタッチパッド２を全範囲Ｒｔに亘ってタッチ操作した場合でも、画面上で操作可能な範囲がアイコンの表示範囲に制限されるため、ユーザは各アイコンを選択し易くなる。よって操作性が向上する。
【００４４】
＜他の実施形態＞
なお、上記各実施形態は、これを適宜変更した以下の形態にて実施することもできる。
・上記第１の実施形態では、タッチ位置（Ｘｔ，Ｙｔ）の絶対位置と制限範囲Ｒｃ内の入力位置（Ｘｄ，Ｙｄ）との対応関係を示す式（１），（２）を用いてタッチ位置（Ｘｔ，Ｙｔ）から画面上の入力位置（Ｘｄ，Ｙｄ）を求めることとした。これに代えて、例えばタッチ位置（Ｘｔ，Ｙｔ）の絶対位置と制限範囲Ｒｃ内の入力位置（Ｘｄ，Ｙｄ）との対応関係を示すマップを操作画面毎に用意し、このマップを用いてタッチ位置（Ｘｔ，Ｙｔ）から画面上の入力位置（Ｘｄ，Ｙｄ）を求めてもよい。
【００４５】
・上記各実施形態では、画面上の入力位置にカーソルＣを表示したが、カーソルＣは非表示であってもよい。
・上記各実施形態では、画面上のいずれかのアイコンが選択されたとき、そのアイコンを囲むように外枠１０を表示することで、選択状態にあるアイコンをユーザが視認できるようにした。これに代えて、例えばアイコンの表示色を変化させたり、アイコンをハイライト表示するなどして、選択状態にあるアイコンをユーザが視認できるようにしてもよい。
【００４６】
・上記各実施形態では、アイコンの表示範囲のＸｄ軸方向の最小値及び最大値が「ＸｄＬ」及び「ＸｄＨ」であり、Ｙｄ軸方向の最小値及び最大値が「ＹｄＬ」及び「ＹｄＨ」であるとき、座標（ＸｄＬ，ＹｄＬ）、座標（ＸｄＨ，ＹｄＬ）、座標（ＸｄＨ，ＹｄＨ）、及び座標（ＸｄＬ，ＹｄＨ）で囲まれる範囲を制限範囲Ｒｃとして設定した。これに代えて、それらの座標で囲まれる範囲よりも若干広い範囲、あるいは若干狭い範囲を制限範囲Ｒｃとして設定してもよい。要は、アイコンの表示範囲のＸｄ軸方向の最小値ＸｄＬ及び最大値ＸｄＨ、並びにＹｄ軸方向の最小値ＹｄＬ及び最大値ＹｄＨに基づいて制限範囲Ｒｃを設定するものであればよい。
【００４７】
・上記各実施形態では、画面上の入力位置の座標系として、ディスプレイ１の長辺方向に平行なＸｄ軸、及び短辺方向に平行なＹｄ軸からなる直交２軸座標系を用いたが、任意の座標系を用いてもよい。また、タッチ位置の座標系についても任意の座標系を用いてもよい。
【００４８】
・上記各実施形態では、ユーザのタッチ位置を検出する検出部として静電容量センサ２１を用いた。これに代えて、例えば指の接触に伴いタッチパッド２に付与される圧力を検出する圧力センサを設け、この圧力センサにより検出される圧力に基づいてユーザのタッチ位置を検出してもよい。
【００４９】
・上記各実施形態では、タッチパッド２からなる操作部を用いたが、操作部の構成はこれに限らない。例えば、ジョイスティックなどからなる操作部を採用してもよい。なお、この操作部を採用した場合、ジョイスティックの操作位置を検出するセンサが検出部となる。
【００５０】
・上記各実施形態では、本発明の操作装置を、車両のエアコン装置７やカーナビ装置８等を遠隔操作する操作装置に適用したが、本発明の操作装置は車載機以外にも適用可能である。例えばパーソナルコンピュータや携帯用機器、テレビジョン受像機を遠隔操作するリモートコントローラ等の機器にも適用可能である。
【００５１】
＜付記＞
次に、上記各実施形態及びその変形例から把握できる技術的思想について追記する。
（イ）前記複数の項目は、車両に搭載された各種機器に対する操作を示す項目からなり、前記制御部は、前記選択項目に応じた操作として、前記車両に搭載された各種機器に対して前記選択項目に応じた操作を行うことを特徴とする操作装置。同構成によれば、ユーザは操作部の操作を通じて画面上の項目を選択することにより、車両に搭載された各種機器を一括操作できるため、利便性が向上する。
【符号の説明】
【００５２】
Ｃ…カーソル、Ｒｃ，Ｒｃ１，Ｒｃ２…制限範囲、Ａ〜Ｄ，Ａ１０〜Ａ１３，Ａ２０〜Ａ２４，Ａ３０〜Ａ３２，Ａ４０…アイコン、１…ディスプレイ（表示部）、２…タッチパッド（操作部）、５…制御装置（制御部）、２１…静電容量センサ（検出部）。
【図１】
2014067253.tif 000003
【図２】
2014067253.tif 000004
【図３】
2014067253.tif 000005
【図４】
2014067253.tif 000006
【図５】
2014067253.tif 000007
【図６】
2014067253.tif 000008
【図７】
2014067253.tif 000009
【図８】
2014067253.tif 000010
【図９】
2014067253.tif 000011
【図１０】
2014067253.tif 000012